(57)【要約】      （修正有）【課題】使用時以外は隠すことができる鏡を備えた建具を提供する。【解決手段】パネル体１と、鏡面体２を備え、鏡面体は、片面が鏡面２１になっており、パネル体に対して反転自在に取り付けてあって、パネル体の見込寸法内に納まる。【選択図】図１
2016087310.tif 000002
【特許請求の範囲】
【請求項１】
パネル体と、鏡面体を備え、鏡面体は、片面が鏡面になっており、パネル体に対して反転自在に取り付けてあって、パネル体の見込寸法内に納まるものであることを特徴とする建具。
【発明の詳細な説明】
【技術分野】
【０００１】
本発明は、室内収納の扉や間仕切りなどの建具に関する。
【背景技術】
【０００２】
従来、クローゼットなどの室内収納の扉に鏡を取り付け、姿見として使用できるようにしたものがある。
【発明の概要】
【発明が解決しようとする課題】
【０００３】
しかしながら、このような従来の鏡は、室内において常に露出した状態になるため、意図せず使用者が映り込み、気になる場合があった。
【０００４】
本発明は、上記事情を鑑みたものであり、使用時以外は隠すことができる鏡を備えた建具を提供することを目的とする。
【課題を解決するための手段】
【０００５】
本発明は、パネル体と、鏡面体を備え、鏡面体は、片面が鏡面になっており、パネル体に対して反転自在に取り付けてあって、パネル体の見込寸法内に納まるものであることを特徴とする。
【発明の効果】
【０００６】
本発明によれば、片面が鏡面になっている鏡面体を反転自在に設けてあるので、鏡面を表側に向けて露出させれば、鏡面が使用可能になる。そして、使用時以外は鏡面をパネル体側に向ける（鏡面の裏面を表側に向ける）ことで、鏡面を隠すことができるので、意図せず使用者が映り込むことがない。また、パネル体を動かすことなく、鏡面体のみを反転させるだけで、鏡面を使用することができるので、操作が手軽である。さらに、鏡面の使用時、未使用時の何れの場合でも、鏡面体がパネル体の見込寸法内に納まるので、コンパクトで使い勝手がよい。
【図面の簡単な説明】
【０００７】
【図１】本発明の建具の横断面図である。
【図２】本発明の建具の縦断面図である。
【図３】（ａ）〜（ｅ）は、鏡面体の反転動作の説明図である。
【図４】本発明の建具を戸として用いたクローゼットの正面図である。
【発明を実施するための形態】
【０００８】
以下、本発明の実施の形態を図面に基づいて説明する。なお、以下において左右とは、図１における左右を示し、前側は図１における下側、後側は図１における上側を示すものとする。図１及び図２に示すように、この建具は、パネル体１と、鏡面体２を備える。パネル体１は、矩形平板からなり、前側面の中央部に、矩形の凹部１１を形成してあって、凹部１１内に、鏡面体２を納めてある。
【０００９】
鏡面体２は、図１及び図２に示すように、縦框２２と横框２３を四周框組みした框体の内周側に、パネル体１の表面と同素材の化粧パネル２４を嵌め込んであり、さらに前側面に、鏡面２１を設けたものである。そして、パネル体１の凹部１１の上下辺に、ガイドレール２５を設けてあり、上下の横框２３を、それぞれ上下のガイドレール２５に対して、ステーアーム２６により回転可能に取り付けてある。ステーアーム２６は、図３に示すように、一端がガイドレール２５の左端に回転自在に接続してあり、他端が横框２３の左右方向中央に回転自在に接続してある。さらに、鏡面体２の右側端の上下には摺動部２７を設けてあり、上下の摺動部２７が、それぞれ上下のガイドレール２５（パネル体１の見付方向）に沿って摺動自在となっている。
【００１０】
このように構成した鏡面体２は、図３に示すように、パネル体１に対して反転自在になっている。より詳しくは、まず、姿見などとして鏡面２１を使用した場合、鏡面２１は前側（表側）を向いて露出している（図３（ａ））。この状態においては、鏡面体２の全体がパネル体１の凹部１１内に納まっており、すなわち、鏡面体２がパネル体１の見込寸法内に納まっている。この状態から、鏡面体２の左側の縦框２２に手をかけて前側に引くと、鏡面体２はステーアーム２６に支持されて、右端の摺動部２７がガイドレール２５を左方向に摺動しつつ、反時計回りに回転する（図３（ｂ）〜（ｃ））。さらに回転させると、鏡面２１が後側（パネル体１側）を向き（図３（ｃ）〜（ｄ））、摺動部２７がガイドレール２５の左端まで到達すると、鏡面２１が完全に後側向きとなる（図３（ｅ））。この状態においても、鏡面体２の全体がパネル体１の凹部１１内に納まっており、すなわち、鏡面体２がパネル体１の見込寸法内に納まっている。このようにして、鏡面体２は、当初と同じ位置で垂直軸周りに１８０度反転した状態となる。それに伴って鏡面２１の向きも反転して、鏡面２１は隠れた状態となり、替わりに鏡面２１の裏側の化粧パネル２４が前側（表側）に露出する。
【００１１】
このような本発明の建具によれば、片面が鏡面２１になっている鏡面体２を反転自在に設けてあるので、鏡面２１を表側に向けて露出させれば、鏡面２１が使用可能になる。そして、使用時以外は鏡面２１をパネル体１側に向ける（鏡面２１の裏側の化粧パネル２４を表側に向ける）ことで、鏡面２１を隠すことができるので、意図せず使用者が映り込むことがない。また、パネル体１を動かすことなく、鏡面体２のみを反転させるだけで、鏡面２１を使用することができるので、操作が手軽である。さらに、鏡面２１の使用時、未使用時の何れの場合でも、鏡面体２がパネル体１の見込寸法内に納まるので、コンパクトで使い勝手がよい。また、鏡面２１の未使用時には、パネル体１の表面と同素材の化粧パネル２４が表側に露出するので、全体として統一感のある意匠となる。
【００１２】
この建具は、室内収納の扉や間仕切りなど、種々の用途に用いられるものであるが、一例として、クローゼットの戸に適用した場合を示す。図４に示すように、このクローゼットは、両引き分け式の四枚折れ戸１０を備えており、四枚の戸体の内の一枚（右端の戸体１０ａ）に、本発明の建具を適用したものである。建具は、パネル体１の前側面に鏡面体２を設けてあって、パネル体１の前側が室内側を向いている。また、鏡面体２の左側の縦框２２の上下方向中央部に、手掛部２８を設けてあって、操作しやすくなっている。このクローゼットによれば、鏡面体２の鏡面２１を姿見として使用することができ、使用しないときには、鏡面体２を反転させて鏡面２１を隠すことができる。そして、鏡面体２はパネル体１の見込寸法内に納まるので、四枚折れ戸１０の開閉には影響しない。
【００１３】
本発明は、上記の実施形態に限定されない。たとえば、鏡面体は、パネル体に対して反転自在に取り付けてあればよく、取付構造はどのようなものであってもよい。また、水平軸周りに回転するものなどでもよく、回転方向はどの方向であってもよい。さらに、化粧パネルは、意匠性などを考慮した上で、パネル体の表面と異なる素材からなるものとしてもよい。また、この建具は、種々の扉などに用いることができるものであり、その際、鏡面体がパネル体の見込寸法内に納まるので、建具としての動作の妨げになることがなく、たとえば引戸として用いることもできる。
【符号の説明】
【００１４】
１  パネル体
２  鏡面体
２１  鏡面
【図１】
2016087310.tif 000003
【図２】
2016087310.tif 000004
【図３】
2016087310.tif 000005
【図４】
2016087310.tif 000006